(57)【要約】【課題】平面形状に形成された設置具に比べ、複数の忌避線架線具を架空線に一度に設置できる機会が増加する設置具を提供する。【解決手段】設置具１は、覆部２が、本体部群８を覆って立体構造をなし、その立体構造を保持覆部３が保持している。そのため、設置具１は、複数の忌避線架線具９が取り付けられた状態で持運孔２５３に活線作業用の工事具の先端を引っ掛けて持ち上げても、平面形状に形成された設置具を用いた場合に比べて折れ曲がりにくい。したがって、設置具１を用いると、平面形状に形成された設置具を用いた場合に比べ、複数の忌避線架線具９を架空線に一度に設置することができる機会を増加させることができる。【選択図】  図３
2019103207.tif 000002
【特許請求の範囲】
【請求項１】
架空線に取付可能な本体部と、
前記本体部のうち、前記本体部が前記架空線に設置されたときに前記架空線の上方側に位置する部分から延設され、忌避線を支持する支持部と、
前記本体部のうち、前記本体部が前記架空線に設置されたときに前記架空線の前記上方側以外の非上方側に位置する部分から延設され、前記本体部を前記架空線に固定する操作を行うための操作部と、
を備える複数の忌避線架線具を、各前記支持部同士が平行になり、かつ、各前記操作部同士が平行になるように集めて一列に並べた状態で前記架空線に設置する作業で用いられる設置具であって、
各前記忌避線架線具が備える各前記本体部からなる本体部群のうち、各前記支持部が延設される前記上方側から、各前記操作部が延設される前記非上方側までを少なくとも覆う覆部と、
前記覆部が前記本体部群を覆った状態を保持させる保持部と、
を備え、
前記覆部は、
前記本体部群の前記上方側を覆う部分に設けられ、各前記忌避線架線具が備える各前記支持部を通す複数の第１孔部と、
前記本体部群の前記非上方側を覆う部分に設けられ、各前記忌避線架線具が備える各前記操作部を通す複数の第２孔部と、
を備える設置具。
【請求項２】
請求項１に記載の設置具において、
前記覆部は、
前記第１孔部から形成された第１切目部であって、前記第１孔部からみて対応する前記第２孔部が位置する側とは反対側の当該覆部の縁まで形成された前記第１切目部と、
前記第２孔部から形成された第２切目部であって、前記第２孔部からみて対応する前記第１孔部が位置する側とは反対側の当該覆部の縁まで形成された前記第２切目部と、
を複数備える設置具。
【請求項３】
請求項１又は請求項２に記載の設置具において、
前記覆部は、
各前記第１孔部が並ぶ位置と各前記第２孔部が並ぶ位置との間の位置に形成され、前記本体部群を覆った当該覆部を持ち運ぶための持運部を備える設置具。
【請求項４】
請求項３に記載の設置具において、
前記持運部は、
前記本体部群をなす各前記本体部が並べられた並び方向の両端の中間位置に設けられている設置具。
【請求項５】
請求項４に記載の設置具において、
前記持運部は、前記覆部に形成された孔部である持運孔である設置具。
【請求項６】
請求項１〜５のいずれか１項に記載の設置具において、
前記保持部は、
前記覆部に対して折り曲げ可能に接続された保持覆部と、
前記本体部群を覆っている前記覆部と、前記覆部に対して折り曲げられた前記保持覆部との非接続部分を連結させる連結部と、
を有し、
各前記忌避線架線具が前記一列に並べられた並び方向を前後方向とした場合に、前記本体部群の前方側を覆うことが可能な位置及び後方側を覆うことが可能な位置のうち少なくとも一方の位置で前記本体部群が前記保持覆部に覆われるとともに、前記保持覆部が前記本体部群を覆うことが可能な位置に位置するとき、前記保持覆部と前記覆部とが前記連結部で連結される設置具。
【請求項７】
請求項６に記載の設置具において、
前記保持覆部は、
前記本体部群を構成する各前記本体部に固定された前記架空線を通す架空線挿通孔と、
前記本体部群を構成する各前記本体部に前記架空線を固定させるときに架空線が通過する切断部であって、当該保持覆部の外周縁から前記架空線挿通孔まで形成された切断部と、
を備える設置具。
【請求項８】
請求項１〜７のいずれか１項に記載の設置具において、
各前記忌避線架線具が、前記覆部に覆われる表面のうち、前記支持部と前記操作部との間の位置で、前記本体部から延設される突設部を備える場合、
当該設置具を構成する前記覆部は、各前記突設部を通す複数の第３孔部
を備える設置具。
【請求項９】
請求項２を引用する請求項８に記載の設置具において、
前記覆部は、
前記忌避線架線具が取り付けられる位置に、前記第３孔部と、対応する前記第１孔部または対応する前記第２孔部とを結んで形成された第３切目部
を複数備える設置具。
【発明の詳細な説明】
【技術分野】
【０００１】
本発明は、複数の忌避線架線具を架空線に設置する作業で用いられる設置具に関する。
【背景技術】
【０００２】
架空線には、鳥害を防止するため、架空線の上方に鳥害防止用の忌避線が架けられることがある。この忌避線を架空線の上方に架けるために用いられるのが忌避線架線具であり、架空線には複数の忌避線架線具が所定間隔ごとに固定される。
【０００３】
忌避線架線具は、架空線に設置可能な本体部と、この本体部から延設された支持部及び操作部とを備えている。このうち、支持部は、本体部のうち、本体部が架空線に設置されたときに架空線の上方側に位置する部分から上方に向かって延設されている。この支持部は、忌避線架線具が架空線に設置されると、架空線の上方に忌避線を支持する。一方、操作部は、本体部のうち、本体部が架空線に設置されたときに架空線の上方側以外の非上方側（側方側や下方側）に位置する部分から延設されている。具体的には、操作部は、本体部のうち、架空線の下方側に位置する部分から下方に向かって延設されていたり、本体部のうち架空線の側方側（左方側又は右方側）に位置する部分からその側方に向かって延設されていたりする。忌避線架線具は、この操作部が操作されると、架空線に設置された本体部を、架空線に固定することができる。
【０００４】
このように構成された複数の忌避線架線具を架空線に一度に設置することができる設置具として、図１０に記載された、平板状に形成された設置具１００が知られている（特許文献１）。
【０００５】
この設置具１００は、複数の忌避線架線具を架空線に一度に設置するため、その一方の板面上に、各忌避線架線具２００を平行に一列に並べられて取り付けることができるよう構成されている。
【０００６】
この設置具１００を用いて各忌避線架線具２００を架空線に設置した場合、その後、各忌避線架線具２００は、作業員によって所定間隔毎に離間されて架空線に固定される。
すると、各忌避線架線具２００の各支持部２０１を渡して忌避線が架空線上に張られるので、これによって架空線への鳥害が忌避線によって抑制される。
【先行技術文献】
【特許文献】
【０００７】
【特許文献１】特開２０１５−１５４５９８号公報
【発明の概要】
【発明が解決しようとする課題】
【０００８】
ところで、上述した設置具１００を用いて、複数の忌避線架線具２００を活線の架空線に設置する作業を行う場合、次のような活線作業用の工事具が用いられることが多い。その工事具は、竿の先端部が二股に分かれて２本の指部をなし、竿の後端部に備えられた操作部を操作すると各指部の遊端が近づき、各指部の遊端の間に対象物を挟んで対象物を把持することが可能な器具である。
【０００９】
この活線作業用の工事具を用いて複数の忌避線架線具２００を活線の架空線に設置する作業を行う場合、作業員は、まず、設置具１００に複数の忌避線架線具２００を取り付ける。次に、作業員は、活線作業用の工事具の先端側に設けられた二本の指部で設置具１００を挟み、活線作業用の工事具の後端側を持って設置具１００を持ち上げ、設置具１００に取り付けられた複数の忌避線架線具２００を架空線に近づける。
【００１０】
しかし、設置具１００は、平板状に形成されているため、活線作業用の工事具の指部で挟んで持ち上げたときに、複数の忌避線架線具２００の重さによって、指部で挟まれている部分で折れ曲がってしまうことがある。
【００１１】
そのため、設置具１００を用いても、複数の忌避線架線具を一度に架空線に設置することができない場合があった。
本発明は、平面形状に形成された設置具に比べ、複数の忌避線架線具を架空線に一度に設置できる機会を増加させることができる設置具を提供することを目的とする。
【課題を解決するための手段】
【００１２】
（１）本発明の設置具は、複数の忌避線架線具を、各支持部同士が平行になり、かつ、各操作部同士が平行になるように集めて一列に並べた状態で架空線に設置する作業で用いられる器具である。
【００１３】
本発明の設置具は、各忌避線架線具が備える各本体部からなる本体部群のうち、各支持部が延設される上方側から、各操作部が延設される非上方側までを少なくとも覆う覆部と、覆部が本体部群を覆った状態を保持させる保持部と、を備えている。
【００１４】
このうち覆部は、本体部群の上方側を覆う部分に設けられ、各忌避線架線具が備える各支持部を通す複数の第１孔部と、本体部群の非上方側を覆う部分に設けられ、各忌避線架線具が備える各操作部を通す複数の第２孔部と、を備える。
【００１５】
本発明の設置具は、各忌避線架線具の支持部及び操作部を各第１孔部及び各第２孔部に通すと、覆部が本体部群の上方側及び非上方側を覆う。このとき覆部は、立体構造である本体部群の少なくとも２面を覆うため立体構造をなし、その立体構造は保持部によって保持される。そしてこの立体構造が保持されると、各忌避線架線具は覆部に取り付けられる。
【００１６】
本発明の設置具は、覆部の立体構造と、その立体構造を保持する構造によって、平面形状の設置具に比べ折り曲げにくい構造を有している。そのため、複数の忌避線架線具が取り付けられた本発明の設置具の覆部を上述した活線作業用の工事具が備えている二本の指具で挟んで持ちあげても、本発明の設置具は、従来の設置具に比べ、折れ曲がる機会が少なくなる。
【００１７】
したがって、本発明の設置具は、平面形状に形成された設置具に比べ、複数の忌避線架線具を架空線に一度に設置できる機会を増加させることができる。
（２）本発明の設置具を構成する覆部は、第１孔部から形成された第１切目部であって、第１孔部からみて対応する第２孔部が位置する側とは反対側の当該覆部の縁まで形成された第１切目部と、第２孔部から形成された第２切目部であって、第２孔部からみて対応する第１孔部が位置する側とは反対側の当該覆部の縁まで形成された第２切目部と、を複数備えていてもよい。
【００１８】
本発明の設置具は、各忌避線架線具を架空線に設置した後、各忌避線架線具から取り外す必要がある。この取り外しの際、覆部を切断用の器具で切断してもよい。しかし、各忌避線架線具は、各第１孔部に各支持部が通され、各第２孔部に各操作部が通されて本発明の設置具に取り付けられている。そのため、これら第１孔部及び第２孔部に、本発明のように覆部の縁まで延びる第１切目部及び第２切目部を設けると、これら第１切目部及び第２切目部を切るだけで、忌避線架線具を本発明の設置具から簡単に外すことができる。すなわち、本発明の設置具は、これら第１切目部及び第２切目部が切れる程度の力で覆部を引っ張れば、これら第１切目部及び第２切目部が切れて、架空線に掛けられた各忌避線架線具から簡単に取り外すことができる。
【００１９】
したがって、本発明の設置具は、平面形状に形成された設置具に比べ、複数の忌避線架線具を架空線に一度に設置できる機会を増加させることができるだけでなく、架空線に設置された各忌避線架線具から簡単に外すこともできる。
（３）本発明の設置具を構成する覆部は、各第１孔部が並ぶ位置と各第２孔部が並ぶ位置との間の位置に形成され、本体部群を覆った当該覆部を持ち運ぶための持運部を備えるようにしてもよい。
【００２０】
本発明の設置具を構成する覆部は、本体部群を覆うとき立体構造をなし、その立体構造が保持部によって保持される。特に、各第１孔部が並ぶ位置と各第２孔部が並ぶ位置との間の位置では、覆部は、各第１孔部及び各第２孔部に各支持部と各操作部が挿入されて止められるので、立体構造が他の部分に比べ崩れにくい。
【００２１】
そのため、本発明の設置具のように上述した位置に持運部を設置し、この持運部を介して複数の忌避線架線具が取り付けられた本発明の設置具を持ち運べば、複数の忌避線架線具を一列に並べた状態で架空線に確実に設置することができる。
（４）本発明の設置具を構成する持運部は、本体部群をなす各本体部が並べられた並び方向の両端の中間位置に設けてもよい。
【００２２】
この中間位置以外の場所に持運部を設け、この持運部を介して本発明の設置具に一列に並べて取り付けられた忌避線架線具を持ち運ぶと、それら忌避線架線具は、重量の不平衡によって、その並び方向のうちいずれか一方の端部側に傾いてしまうことがある。そうすると、一列に並べて設置具に取り付けられた忌避線架線具を架空線に近づけたとき、各忌避線架線具が並べられた並び方向と架空線の長手方向とが一致しなくなる場合がある。しかし、本発明のように上述した中間位置に持運部を設けると、上記のような傾きの発生を抑制できるので、各忌避線架線具が並べられた並び方向と架空線の長手方向とを一致させやすくなる。
（５）持運部は、覆部に形成された孔部である持運孔であってもよい。この場合、例えば、上述した活線作業用の工事具が備える指部の先端を持運孔に挿入すれば、その活線作業用の工事具の先端に複数の忌避線架線具を覆った設置具を引っ掛けて持ち運ぶことができ、そうすると、電線にアプローチすることに使用できる。
（６）本発明の設置具を構成する保持部は、どのような構成でもよいが、例えば、保持部は、覆部に対して折り曲げ可能に接続された保持覆部と、本体部群を覆っている覆部と、覆部に対して折り曲げられた保持覆部との非接続部分を連結させる連結部と、を有し、各忌避線架線具が一列に並べられた並び方向を前後方向とした場合に、本体部群の前方側を覆うことが可能な位置及び後方側を覆ことが可能な位置のうち少なくとも一方の位置で本体部群が保持覆部に覆われるとともに、保持覆部が本体部群を覆うことが可能な位置に位置するとき、保持覆部と覆部とが連結部で連結されるよう構成してもよい。
【００２３】
このようにすると、保持覆部を覆部に対して折り曲げ、連結部を介して保持覆部と覆部との非連結部分を連結させるだけの簡単な作業で、覆部の立体構造を保持可能に本発明の設置具を組み立てることができる。
（７）なお、保持覆部は、本体部群を構成する各本体部に固定された架空線が通る位置に設けられる場合、この架空線を通す架空線挿通孔と、当該保持覆部の外周縁から架空線挿通孔まで形成された切断部、を備える構成としてもよい。
（８）本発明の設置具は、支持部と操作部以外にも本体部から延設された構成を備えてもよいが、例えば、各忌避線架線具が、覆部に覆われる表面のうち、支持部と操作部との間の位置で、本体部から延設される突設部を備える場合、設置具を構成する覆部は、各突設部を通す複数の第３孔部を備えるようにしてもよい。
（９）この場合、本発明の設置具を構成する覆部は、忌避線架線具が取り付けられる位置に、第３孔部と、対応する第１孔部または対応する第２孔部とを結んで形成された第３切目部を備えるようにしてもよい。
【００２４】
なお、第１切目部、第２切目部、第３切目部は、覆部の表面を、その表面とは反対側の面まで届かない深さで線状に切って形成してもよいし、覆部を切った部分と、切らない部分を交互に線状に繰り返す、いわゆるミシン目と呼ばれる形態で形成してもよい。
【図面の簡単な説明】
【００２５】
【図１】実施形態の設置具に取り付けられる忌避線架線具の斜視図である。（ａ）は正面斜視図、（ｂ）は背面斜視図である
【図２】実施形態の設置具の平面図である。
【図３】実施形態の設置具に忌避線架線具を取り付ける様子を説明するための説明図である。この説明図は、設置具及び忌避線架線具を斜視図で示している。なお、図３では、図面が煩雑になるため、一部構成については符号を省略している。
【図４】実施形態の設置具に忌避線架線具を取り付ける様子を説明するための説明図である。この説明図は、設置具及び忌避線架線具を斜視図で示している。なお、図４では、図面が煩雑になるため、一部構成については符号を省略している。
【図５】（ａ）（ｂ）ともに、実施形態の設置具を用いて、架空線に忌避線架線具を設置する様子を説明するための説明図である。
【図６】（ａ）（ｂ）ともに、実施形態の設置具を用いて、架空線に忌避線架線具を設置する様子を説明するための説明図である。
【図７】実施形態の設置具を用いて、架空線に忌避線架線具を設置する様子を説明するための説明図である。
【図８】他の実施形態である設置具の平面図である。
【図９】（ａ）忌避線架線具の本体部を囲った他の実施形態である設置具を説明するための説明図であり、前後方向に垂直な断面で、他の実施形態である設置具を示している。（ｂ）は、比較のために示した、本実施形態の設置具の断面図である。
【図１０】従来の設置具の説明図である。
【発明を実施するための形態】
【００２６】
以下に本発明の例示的な実施形態について図面を参照しながら説明する。
本実施形態の設置具は、図１（ａ）及び図１（ｂ）に示す忌避線架線具９を架空線に設置するための設置具である。そのためまず、忌避線架線具９について詳細に説明した後、本実施形態の設置具を説明する。
＜忌避線架線具９＞
忌避線架線具９は、三方覆部９０と、蓋部９１と、支持部９２と、挟持部９３と、操作部９４と、非把持部９５とを備える。なお、三方覆部９０と、蓋部９１とをまとめて本体部９６と呼ぶ。
【００２７】
三方覆部９０は、コ字形状に形成されており、忌避線架線具９が架空線に設置されるとき、架空線の上方側、下方側、及び、一方の側方側を覆う。このうち一方の側方側とは、架空線の軸方向を前後方向としたときの左右方向のいずれかの一方の方向側を意味する。
【００２８】
なお、前後方向は、架空線の軸方向に沿った方向としたが、本実施形態では、各忌避線架線具９が後述するように一列に並べられた並び方向（図３参照）をも意味する。
蓋部９１は、長方形状に形成されており、忌避線架線具９が架空線に設置されるとき、三方覆部９０が架空線を覆っていない部分、すなわち、架空線の他方の側方側を覆う。
【００２９】
三方覆部９０及び蓋部９１は、蓋部９１が架空線の他方の側方側を覆う位置にあるとき、架空線の外周面を囲って、架空線が入る大きさの取付空間９９を形成する。
蓋部９１は、三方覆部９０が形作るコ字の上方側の端部に相当する位置で、長手方向の一端が三方覆部９０に対して回動可能に固定されており、架空線の他方の側方側を覆う閉位置から、取付空間９９の外部から取付空間９９の内部に架空線を差し入れることが可能となる開位置まで移動可能に三方覆部９０に取り付けられている。
【００３０】
また、蓋部９１は、三方覆部９０が形作るコ字の下方側の端部に相当する位置に設けられた突起９０５に、蓋部９１に設けられている固定用孔９０６を嵌挿すると、三方覆部９０に対して固定することができる。
【００３１】
支持部９２は、上下方向に長細い平板形状に形成されており、板面が左右方向に対して垂直となるように、三方覆部９０のうち架空線の上方側を覆う上方側覆部９０１の左右方向の中央から上方に向かって延設されている。
【００３２】
この支持部９２には、後述する忌避線固定具９８が取り付けられる固定用孔部９７が設けられている。この固定用孔部９７は、支持部９２の長さで示すと、支持部９２の上端から下方に１／５下がった地点から３／５下がった地点まで形成された、上下方向に細長い長方形状の孔部である。
【００３３】
忌避線固定具９８も、固定用孔部９７と同様、上下方向に長細い長方形状に形成されている。固定用孔部９７の内部には、固定用孔部９７の長手方向の中央に、軸方向が前後方向に沿った回転軸が設けられている。忌避線固定具９８は、その長手方向の中央部分が、この回転軸に対し回転可能に固定されている。忌避線固定具９８は、支持部９２と平行となる位置（以下、「折畳位置」という）まで回転したときに、固定用孔部９７をほぼ埋める大きさに形成されている。
【００３４】
忌避線固定具９８は、折畳位置に位置するとき、支持部９２に対して固定される。本実施形態では、固定用孔部９７上を通るように忌避線を配置した後、忌避線固定具９８を回転させ、忌避線固定具９８で忌避線を押して忌避線を固定用孔部９７内に押し入れ、固定用孔部９７内で忌避線固定具９８と支持部９２との間に忌避線を挟み、忌避線固定具９８を支持部９２に固定すると、忌避線が忌避線架線具９に固定される。すると、忌避線は、取付空間９９に位置する架空線から所定距離上方で支持部９２に支持される。
【００３５】
挟持部９３は、移動挟持部９３０と、三方覆部９０のうち架空線の上方側を覆う上方側覆部９０１とで構成されている。このうち移動挟持部９３０は、取付空間９９内で上下方向に移動可能に、三方覆部９０に対して取り付けられている。また、移動挟持部９３０のうち、蓋部９１側の端部には、移動挟持部９３０が架空線を挟持可能な位置まで来ると、蓋部９１に引っ掛かる固定部９３１が形成されている。
【００３６】
挟持部９３は、後述する操作部９４を操作して、移動挟持部９３０を取付空間９９内で上方に向かって移動させると、取付空間９９の天井面であって、三方覆部９０の上方側覆部９０１と、上述した移動挟持部９３０との間に架空線を挟む。そのため、本実施形態では、蓋部９１を開けて架空線を取付空間９９内に差し入れた後、操作部９４を操作すれば、忌避線架線具９が架空線に固定される。
【００３７】
操作部９４は、円筒形状に形成されており、中心軸が三方覆部９０の下方側覆部９０２の左右方向に沿った長手方向の中央から下方に向かって延設されるように、下方側覆部９０２から下方に向かって延設されている。本実施形態の忌避線架線具９では、操作部９４を軸周りに回転させると、挟持部９３の移動挟持部９３０が上下方向に移動するよう構成されている。
【００３８】
非把持部９５は、前後方向に垂直な板面を有する長板形状に形成されたものであり、三方覆部９０の下方側覆部９０２と、三方覆部９０が一方の側面側を覆う一方側覆部９０３との境界部分から、他方の側面側の斜め下方に向かって延設されている。非把持部９５の板面には、滑り止め用の複数の突起が形成されている。非把持部９５は、活線作業用の工事具５（図５（ａ）参照）で把持することができる大きさに形成されている。
【００３９】
なお、活線作業用の工事具は、例えば、図５（ａ）に示すように、竿の先端部が二股に分かれて２本の指部をなし、竿の後端部に備えられた操作部を操作すると各指部の遊端が近づき、各指部の遊端の間に対象物を挟んで対象物を把持することが可能な工具である。
【００４０】
以上のように構成された複数の忌避線架線具９を架空線に所定間隔ごとに固定するとともに、忌避線をそれぞれの忌避線架線具９の支持部９２に支持させれば、架空線上に鳥害防止用の忌避線を張ることができる。
＜設置具１＞
次に、本実施形態の設置具１について、図２、図３（ａ）、図３（ｂ）、図４を参照しながら説明する。
【００４１】
なお、設置具１の各部が設置される方向について、上方側、下方側、前方側、後方側、一方の側方側、及び、他方の側面側というとき、これらが示す方向は、設置具１を用いて忌避線架線具９を架空線に設置されたとき、設置具１の各部が架空線に対して位置する方向を示している。前後方向は、前述したように、架空線の軸方向に沿った方向である。
【００４２】
また、図２では、本実施形態の設置具１が折り曲げられる部分を点線で示し、切目部や切断部を実線（設置具１の輪郭を除く）で示しているものとして説明する。
本実施形態の設置具１は、複数の忌避線架線具９を架空線に一度に設置するための工事用の道具である。
【００４３】
本実施形態の設置具１を構成する材料は、透明なポリプロピレンである。設置具１は、透明なポリプロピレン製のシートを、図２に示すように、プレス加工などによって所定の形状に型抜きする方法で形成される。
【００４４】
この設置具１の大きさは、図３、及び、図４に示すように、架空線に掛けられるときに各蓋部９１が他方の側方側を向くように向きを揃えて一列に並べられた複数の忌避線架線具９の各本体部９６からなる本体部群８を覆うことができる大きさである。
【００４５】
本実施形態の設置具１は、図２に示すように、大きく２つの部位を有する。１つは、架空線に設置されたとき、本体部群８の上方側、下方側、一方の側方側、及び、他方の側面側を覆う覆部２であり、もう１つは、本体部群８の前方側及び後方側を覆う保持覆部３である。覆部２及び保持覆部３は、このように一体に形成されている。
【００４６】
＜覆部２＞
覆部２について、図２を用いて説明する。
覆部２の形状は、本体部群８を構成する本体部９６が並べられる方向（図３参照）、すなわち、設置具１が架空線に設置されたときの前後方向に沿って長尺な長方形状である。このため、覆部２について、図２を用いて説明する場合、以下では、前後方向を長辺方向、前後方向に垂直な方向を短辺方向と呼ぶ。
【００４７】
この覆部２が本体部群８（図３参照）を覆うとき、覆部２は、４カ所で折られる。この折られる場所は、図２では、４本の点線で示している。そして、覆部２のうち、これら４つの点線で区切られる５つのそれぞれの部分については、下記のように呼ぶものとする。
【００４８】
覆部２のうち、短辺方向の中央に位置する部分（図２中で上から２本目と３本目の点線で囲まれた部分）は、本体部群８（図３参照）を覆うときに本体部群８の一方の側方側部分を覆う。覆部２のうち、この本体部群８の一方の側方側部分を覆う部分を、中央覆部分２５と呼ぶ。
【００４９】
覆部２のうち、中央覆部分２５に対し短辺方向の一方の側で隣接する部分（図２中で上から１本目と２本目の点線で囲まれた部分）は、本体部群８（図３参照）を覆うときに本体部群８の上方側部分を覆う。覆部２のうち、この本体部群８の上方側部分を覆う部分を、上方覆部分２４という。
【００５０】
覆部２のうち、中央覆部分２５に対し短辺方向の他方の側で隣接する部分（図２中で上から３本目と４本目の点線で囲まれた部分）は、本体部群８（図３参照）を覆うときに本体部群８の下方側部分を覆う。覆部２のうち、この本体部群８の下方側部分を覆う部分を、下方覆部分２６という。
【００５１】
覆部２のうち、上方覆部分２４に対し中央覆部分２５とは反対側で隣接する部分（図２中で上から１本目の点線よりも上方部分）は、本体部群８（図３参照）を覆うときに本体部群８の他方の側方側部分のうち上方側の一部を覆う。覆部２のうち、この本体部群８の他方の側方側部分のうち上方側の一部を覆う部分を、第１覆部分２３という。
【００５２】
覆部２のうち、下方覆部分２６に対し中央覆部分２５とは反対側で隣接する部分（図２中で上から４本目の点線よりも下方部分）は、本体部群８（図３参照）を覆うときに本体部群８の他方の側方側部分のうち下方側の一部を覆う。覆部２のうち、この本体部群８の他方の側方側部分のうち下方側の一部を覆う部分を、第２覆部分２７という。
【００５３】
≪覆部２の中央覆部分２５≫
覆部２の中央覆部分２５には、複数の挿通孔２５０が形成されている。これら挿通孔２５０は、覆部２の長辺方向に沿って並べられ、互いに間隔をあけて形成されている。また、これら挿通孔２５０は、中央覆部分２５の短辺方向に沿った幅方向でみた場合、その幅方向の中央より下方覆部分２６側に寄った位置に形成されている。
【００５４】
これら挿通孔２５０の大きさは、それぞれの忌避線架線具９の非把持部９５を挿通可能な大きさであり、その形状は、覆部２の短辺方向沿って長尺な長方形状である。
覆部２の中央覆部分２５には、複数の切目部２５１が形成されている。これら切目部２５１は、挿通孔２５０の下方覆部分２６側の端部を結んで覆部２の長辺方向に沿って引いた線のうち、覆部２に形成されたそれぞれの挿通孔２５０の間、及び、長辺方向の両端の挿通孔２５０と覆部２の長辺方向の両端の辺（短辺方向に沿った辺）との間の部分に形成されている。
【００５５】
また、覆部２の中央覆部分２５には、切目部２５１とは異なる複数の切目部２５２も形成されている。これら切目部２５２は、覆部２と保持覆部３との接続部分のうちの下方覆部分２６の端点である端点３０１を通って、覆部２の長辺方向に沿って引いた線のうち、長辺方向の両端の挿通孔２５０と覆部２の長辺方向の両端の辺（短辺方向に沿った辺）との間の部分に形成されている。
【００５６】
覆部２の中央覆部分２５には、持運孔２５３が形成されている。この持運孔２５３は、覆部２の中央覆部分２５の長辺方向の中央（本体部群８（図３参照）をなす各本体部９６が並べられた並び方向の両端の中間位置）に形成されている。この持運孔２５３の大きさは、活線作業用の工事具５（図５（ａ）参照）が備える指部の遊端側を差し込むことができる大きさである。
【００５７】
なお、後述する保持覆部３は、この覆部２の中央覆部分２５で連結されている。
≪覆部２の上方覆部分２４≫
覆部２の上方覆部分２４には、複数の挿通孔２４０が形成されている。これら挿通孔２４０は、覆部２の長辺方向に沿って並べられ、互いに間隔をあけて形成されている。また、これら挿通孔２４０は、上方覆部分２４の短辺方向に沿った幅方向でみた場合、その幅方向の中央に形成されている。
【００５８】
これら挿通孔２４０の大きさは、それぞれの忌避線架線具９の支持部９２であって、忌避線固定具９８で固定用孔部９７を閉じた支持部９２（図１参照）を挿通可能な大きさであり、その形状は、覆部２の長辺方向に沿って長尺な長方形状である。
【００５９】
覆部２の上方覆部分２４には、複数の切目部２４１が形成されている。これら切目部２４１は、それぞれの挿通孔２４０の長手方向（長辺方向に沿った方向）に沿った辺のうち第１覆部分２３側の辺の中央から、短辺方向に沿って第１覆部分２３側に向かって形成されている。これら切目部２４１は、第１覆部分２３に設けられた後述するそれぞれの蓋止切欠部２３０（覆部２の長辺方向に沿って長尺な辺のうち、蓋止切欠部２３０が設けられた辺側の縁）まで形成されている。
【００６０】
覆部２の上方覆部分２４には、切目部２４１とは異なる複数の切目部２４２が形成されている。これら切目部２４２は、それぞれの挿通孔２４０の長手方向（長辺方向に沿った方向）に沿った辺のうち中央覆部分２５側の辺の中央から、短辺方向に沿って中央覆部分２５側に向かって、覆部２の上方覆部分２４と中央覆部分２５との境目となる部分（図２中で上から２本目の点線が記載された部分）と挿通孔２４０との中間部分まで形成されている。これら切目部２４２は、挿通孔２４０側を下端とするＴ字状に形成されている。
【００６１】
覆部２の上方覆部分２４には、覆部２を切断した複数の切断部２４３が形成されている。これら切断部２４３は、上方覆部分２４のうち、それぞれの挿通孔２４０が設けられている位置の中間に形成されている。これら切断部２４３は、短辺方向に沿って覆部２を直線上に切断した形状に形成されており。これら切断部２４３の上下端には、所定の大きさの開口が形成されている。
【００６２】
覆部２の上方覆部分２４には、複数の連結突起２４４が設けられている。これら連結突起２４４は、上方覆部分２４の長辺方向の両端の辺（短辺方向に沿った辺）から突設されている。
【００６３】
覆部２の上方覆部分２４には、切目部２４１、切目部２４２とも異なる、複数の切目部２４５が形成されている。これら切目部２４５は、長辺方向の中央の切断部２４３と、その両隣の挿通孔２４０との間に形成されている。
【００６４】
さらに、覆部２の上方覆部分２４には、切目部２４１、切目部２４２、切目部２４５とも異なる、複数の切目部２４６が形成されている。これら切目部２４６は、覆部２の長辺方向の両端に位置する挿通孔２４０と、覆部２の短辺との間に形成されている。
【００６５】
≪覆部２の第１覆部分２３≫
覆部２の第１覆部分２３には、複数の蓋止切欠部２３０が形成されている。これら蓋止切欠部２３０は、覆部２の長辺方向に沿った辺を切り欠いて形成されており、覆部２の長辺方向に沿って、互いに間隔をあけて形成されている。
【００６６】
また、それぞれの蓋止切欠部２３０には、２つずつ突起２３１が形成されている。これら突起２３１は、開いた蓋部９１を開いた状態に止めるためのものである。これら突起２３１は、蓋止切欠部２３０を形成する辺のうち、短辺方向に沿った対向する２つの辺の長手方向中央に形成されている。
【００６７】
覆部２の第１覆部分２３には、複数の連結突起２３２が設けられている。これら連結突起２３２は、第１覆部分２３の長辺方向の両端の辺（短辺方向に沿った辺）から突設されている。
≪覆部２の下方覆部分２６≫
覆部２の下方覆部分２６には、複数の挿通孔２６０が形成されている。これら挿通孔２６０は、覆部２の長辺方向に沿って並べられ、互いに間隔をあけて形成されている。また、これら挿通孔２６０は、下方覆部分２６の短辺方向に沿った幅方向でみた場合、その幅方向の中央に形成されている。
【００６８】
これら挿通孔２６０の大きさは、それぞれの忌避線架線具９の操作部９４（図１参照）を挿通可能な大きさであり、それら挿通孔２６０の形状は、円形状である。
覆部２の下方覆部分２６には、複数の切目部２６２が形成されている。これら切目部２６２は、それぞれの挿通孔２６０から、それぞれの挿通孔２６０の上方に位置する挿通孔２５０まで形成されている。
【００６９】
覆部２の下方覆部分２６には、切目部２６２とは異なる複数の切目部２６３が形成されている。これら切目部２６３は、それぞれの挿通孔２６０から、それぞれの挿通孔２６０の下方に位置する後述する蓋開用切欠部２７０（覆部２の長辺方向に沿って長尺な辺のうち、蓋開用切欠部２７０が設けられた辺側の縁）まで形成されている。
【００７０】
覆部２の下方覆部分２６には、複数の連結突起２６４が設けられている。これら連結突起２６４は、下方覆部分２６の長辺方向の両端の辺（短辺方向に沿った辺）から突設されている。
【００７１】
≪覆部２の第２覆部分２７≫
覆部２の第２覆部分２７には、複数の蓋開用切欠部２７０が形成されている。これら蓋開用切欠部２７０は、覆部２の長辺方向に沿った辺を切り欠いて形成されており、覆部２の長辺方向に沿って、互いに間隔をあけて形成されている。これら蓋開用切欠部２７０は、忌避線架線具９の蓋部９１を開けたときに邪魔にならない大きさに形成されている。
【００７２】
また、それぞれの蓋開用切欠部２７０には、２つずつ引掛凹部２７１が形成されている。これら引掛凹部２７１は、忌避線架線具９が設置具１に取り付けられたときに、忌避線架線具９の固定部９３１が引っ掛けられるものである。これら引掛凹部２７１は、蓋開用切欠部２７０を形成する辺のうち、短辺方向に沿った対向する２つの辺の長手方向中央に形成されている。
【００７３】
覆部２の第２覆部分２７には、４つの連結突起２７２が設けられている。これら連結突起２７２は、第２覆部分２７の長辺方向の両端の辺（短辺方向に沿った辺）から突設されている。これら連結突起２７２は、第２覆部分２７の長手方向の両端に位置する辺から２つずつ設けられている。
【００７４】
覆部２の第２覆部分２７には、引剥孔２７３が形成されている。この引剥孔２７３は、覆部２の第２覆部分２７の長辺方向の中央に形成されている。この第２覆部分２７の大きさは、活線作業用の工事具５（図５（ａ）参照）の先端を通すことができる大きさである。
【００７５】
＜保持覆部３＞
次に、保持覆部３について説明する。
保持覆部３は、覆部２の中央覆部分２５の長辺方向の両端に設けられている。
【００７６】
保持覆部３は、覆部２の短辺方向に沿って長尺な形状に形成されている。保持覆部３全体の短辺方向の長さは、中央覆部分２５の短辺方向に沿った幅とほぼ同じ長さである。しかし、保持覆部３と覆部２の中央覆部分２５との接合は、中央覆部分２５の短辺方向に沿った幅の略中央より上方覆部分２４側でなされている。保持覆部３と覆部２との接合部分のうち、下方覆部分２６側の端点を端点３０１と呼ぶ。
【００７７】
保持覆部３の長手方向（覆部２の短辺方向）の中央には、架空線を通す架空線挿通孔３０が形成されている。また、保持覆部３の長手方向に沿った辺のうち、覆部２との接続部分とは反対側の辺の中央には、架空線挿通孔３０に向かって三角形状に凹んだ切欠３１が形成されている。
【００７８】
また切欠３１から架空線挿通孔３０までの部分には、保持覆部３を切断した切断部３２が設けられている。
また、架空線挿通孔３０や切断部３２からは、保持覆部３を上下方向に沿って切断した複数の切断部３３も設けられている。さらに、それぞれの架空線挿通孔３０からみて覆部２側にも切断部３３が設けられている。
【００７９】
さらに、設置具１を組み立てたときに、連結突起２３２、連結突起２４４、連結突起２６４、連結突起２７２がそれぞれ対向する部分（保持覆部３の覆部２と接合する側の辺以外の辺付近）には、それぞれの連結突起２３２、連結突起２４４、連結突起２６４、連結突起２７２が挿入されると、それぞれの先端が引っ掛かる複数の引掛部３４が設けられている。
【００８０】
＜取付方法＞
次に、複数の忌避線架線具９を設置具１に取り付ける方法について、図３、図４を参照しながら、説明する。
【００８１】
本実施形態の設置具１に忌避線架線具９を取り付けるには、第１に、図３に示すように、本体部群８を覆部２で覆う。このとき、本体部群８を構成するそれぞれの忌避線架線具９の忌避線固定具９８を閉じたそれぞれの支持部９２を、覆部２のそれぞれの挿通孔２４０に通し、それぞれの忌避線架線具９のそれぞれの非把持部９５を、覆部２のそれぞれの挿通孔２５０（図５（ａ）参照）に通し、それぞれの忌避線架線具９のそれぞれの操作部９４を、覆部２のそれぞれの挿通孔２６０に通す。そうすると覆部２は、立体構造である本体部群８を覆うため立体構造をなす。
【００８２】
第２に、図４に示すように、覆部２に設けられているそれぞれの連結突起２３２、２４４、２６４、２７２を、保持覆部３に設けられた各引掛部３４に挿入して引っ掛ける。すると、覆部２の立体構造は、保持覆部３によって保持される。そして、覆部２の立体構造が保持されると、各忌避線架線具９は、覆部２に固定される。
【００８３】
第３に、それぞれの忌避線架線具９の支持部９２に忌避線であるテグス７が所定間隔ごとに固定される。このときテグス７は、忌避線固定具９８を用いて各支持部９２に固定される。また、各支持部９２間に張られる余ったテグス７は、まとめられて切断部２４３に通され、設置具１に止められる。
【００８４】
第４に、それぞれの忌避線架線具９のそれぞれの蓋部９１が開けられ、これら蓋部９１は、それぞれの蓋部９１の根本部分の細くなった部分が、対応する蓋止切欠部２３０内に挿入されて突起２３１に引っ掛けられ、覆部２に固定される。
【００８５】
本実施形態の設置具１は、覆部２が、複数の忌避線架線具９が備える本体部９６からなる本体部群８の上方側、下方側、一方の側方側、及び、他方の側面側を覆って立体構造をなし、その立体構造を保持覆部３が保持している。そのため、本実施形態の設置具１は、複数の忌避線架線具９が取り付けられた状態で活線作業用の工事具５（図５（ａ）参照）が備える指部が持運孔２５３に挿入されるなどして持ち運ばれても、折れ曲がりにくい。
【００８６】
一方で、覆部２には、支持部９２を通す挿通孔２４０と、操作部９４を通す挿通孔２６０とから、他方の側方側に向かって覆部２の端部まで形成された切目部２４１，２６３や、挿通孔２５０から挿通孔２６０まで形成された切目部２６２が設けられているので、少なくともこれら切目部２４１、２６２、２６３を切れば、各忌避線架線具９は、設置具１から簡単に外すことができる。
【００８７】
また、これら切目部２４１、２６２、２６３以外にも多くの切目部を備えているので、これらの切目部２４１、２６２、２６３以外切目部を切目部を切ることで、各忌避線架線具９が設置具１から簡単に外れる。
【００８８】
したがって、本実施形態の設置具１は、複数の忌避線架線具９が取り付けられた状態で活線作業用の工事具５（図５（ａ）参照）で運ばれても折れ曲がりにくいので、複数の忌避線架線具９を一列に並べた状態で架空線に設置することができる。しかも、本実施形態の設置具１は、切目部２４１、２６２、２６３を切ればそれぞれの忌避線架線具から簡単に外すことができるので、それぞれの忌避線架線具９を架空線に設置した後、それぞれの忌避線架線具９から簡単に外すことができる。
【００８９】
＜架空線への設置方法＞
本実施形態の設置具１を用いて、複数の忌避線架線具９を架空線に設置する作業について簡単に説明する。
【００９０】
第１に、図５（ａ）に示すように、複数の忌避線架線具９が取り付けられた設置具１の持運孔２５３に活線作業用の工事具５の先端を通す。このとき、忌避線架線具９の蓋部９１は開けておく（三方覆部９０の取付空間９９内に架空線６を差し入れることができる状態にしておく）。
【００９１】
第２に、図５（ｂ）に示すように、設置具１に取り付けられたそれぞれの忌避線架線具９の取付空間９９（図１参照）に架空線６を差し入れ、それぞれの忌避線架線具９の蓋部９１を閉じる。このとき、架空線６は、保持覆部３の切欠３１に当てられ、切断部３２によって保持覆部３を割りながら、切断部３２を通過して、架空線挿通孔３０まで導かれる。なお、本実施形態の設置具１は、本体部群８の他方の側面側を覆う部分が上下２つに分かれているので（第１覆部分２３、第２覆部分２７）、覆部２のうち、本体部群８の他方の側面側を覆っている部分に邪魔されることなく、架空線６をそれぞれの忌避線架線具９の取付空間９９内に差し入れることができる。
【００９２】
第３に、図６（ａ）に示すように、設置具１に取り付けられた複数の忌避線架線具９のうち、端に位置する忌避線架線具９を架空線６に固定する。具体的には、この端に位置する忌避線架線具９の操作部９４を操作して、架空線６を取付空間９９内で挟持部９３を用いて挟持させる。このとき、挟持部９３の固定部９３１が蓋部９１を三方覆部９０に固定する。
【００９３】
そして、設置具１にまだ取り付けられている忌避線架線具９のうち、いずれかの忌避線架線具９の非把持部９５を活線作業用の工事具５（図５（ａ）参照）で把持して、架空線６に固定した忌避線架線具９から、設置具１にまだ取り付けられている忌避線架線具９を引き離す。このとき、切目部２４１、２６２、２６３やその他の切目部が切れ、架空線６に固定された忌避線架線具９が、設置具１から取り外される。そして、架空線６に固定された忌避線架線具９と、設置具１に取り付けられていたときに、架空線６に固定された忌避線架線具９の隣に設置されていた忌避線架線具９との間のテグス７が切断部２４３から外れ、これら忌避線架線具９が設置された架空線６上にテグス７が張られる。
【００９４】
その後、同様の作業を繰り返す。
第４に、最後に架空線６に固定された忌避線架線具９には、図６（ｂ）に示すように、設置具１が取り付けられたまま残るので、図７に示すように、活線作業用の工事具５でその設置具１を忌避線架線具９から引き離す。
【００９５】
＜対応関係＞
本実施形態の挿通孔２４０は、本発明の第１孔部に相当する。
本実施形態の挿通孔２６０は、本発明の第２孔部に相当する。
【００９６】
本実施形態の挿通孔２５０は、本発明の第３孔部に相当する。
本実施形態の切目部２４１は、本発明の第１切目部に相当する。
本実施形態の切目部２６３は、本発明の第２切目部に相当する。
【００９７】
本実施形態の切目部２６２は、本発明の第３切目部に相当する。
本実施形態の非把持部９５は、本発明の突設部に相当する。
本実施形態の切断部３２は、本発明の切断部に相当する。
【００９８】
本実施形態の連結突起２３２、２４４、２６４、２７２、及び、各引掛部３４は、本発明の連結部に相当する。本実施形態では、二組の保持覆部３が備えられているので、保持覆部３ごとに、連結部、すなわち、連結突起２３２、２４４、２６４、２７２、及び、各引掛部３４が備えられている。
［他の実施形態］
以上、実施形態について説明したが、特許請求の範囲に記載された発明は、上記実施形態に限定されることなく、種々の形態を採り得ることは言うまでもない。
【００９９】
（１）上記実施形態で説明した設置具１に設けられたそれぞれの切目部２４１、２４２、２４５、２４６、２５１、２５２、２６２、２６３は、例えば、覆部２を貫通するように切るのではなく、覆部２の厚み方向の下半分を残して上半分だけを切るなど、覆部２の厚み方向でみて、つながる部分を一部に残して覆部２を切って形成されるものでもよい。また、これら切目部は、ミシン目のように、覆部２を切断する部分と、切断しない部分を交互に繰り返す形状に形成されたものでもよい。
【０１００】
（２）上記実施形態では、設置具１の覆部２が、本体部群８の他方の側面側をも覆っているが、本体部群８の他方の側面側については、その一部だけを覆うようにしてもよいし、全く覆わなくてもよい。
【０１０１】
（３）上記実施形態では、６つの忌避線架線具９を設置可能な設置具１について説明したが、例えば、設置具１は、図８に示すように、４つの忌避線架線具９を設置するものでもよい。
【０１０２】
（４）上記実施形態では、それぞれの忌避線架線具９を設置具１から順次取り外す例について説明したが、設置具１をそれぞれの忌避線架線具９から一度に外すようにしてもよい。この場合、引剥孔２７３に活線作業用の工事具５の先端を差し込んで設置具１を掴み、設置具１を下方に引っ張ることでそれぞれの忌避線架線具９から引きはがせばよい。
【０１０３】
この場合、図８に示すように、切目部２４１、２６３、２６２に相当する切目部を、それぞれの忌避線架線具９を取り付ける部分ごとに１つずつではなく、２つずつ設けるなどして、これら切目部２４１、２６３、２６２が設けられた部分で設置具１が切れやすくすれば、それぞれの忌避線架線具９から設置具１を引きはがしやすくなる。
【０１０４】
（５）上記実施形態では、切目部２６３が挿通孔２５０から挿通孔２６０に向かって設けられていると説明したが、この切目部２６３は、挿通孔２５０から挿通孔２４０に向かって設けられていてもよい。
【０１０５】
（６）上記実施形態では、持運孔２５３が覆部２に設けられていると説明したが、この持運孔２５３に代えて、活線作業用の工事具５で把持可能なヒダ部等の持運部を覆部２に設けてもよい。
【０１０６】
また、持運孔２５３は、図２に示すように、覆部２のうち、各挿通孔２４０が並ぶ位置αと各挿通孔２６０が並ぶ位置βとの間の位置に形成されていればよく、上記実施形態で示す位置に限られるものではない。
【０１０７】
（７）上記実施形態では、図９（ｂ）に示すように、操作部９４が三方覆部９０の下方側から延設された忌避線架線具９を覆う設置具１について説明したが、設置具１は、図９（ａ）に示すように、操作部９４が本体部９６の一方の側方側から延設された忌避線架線具９を覆うものでもよい。
【０１０８】
この忌避線架線具９は、本体部９６が、支点９０７から下方側に延設された一対の柄部９０８、９０９を備えている。また、この忌避線架線具９は、一方の柄部９０８の上端から上方に向かって延設された支持部９２を備えている。一方の柄部９０８は支持部９２に対して動かないが、他方の柄部９０９は、支持部９２に対して支点９０７まわりに回動可能に一方の柄部９０８及び支持部９２に対して固定されている。
【０１０９】
また、忌避線架線具９は、一方の柄部９０８の外側（一方の柄部９０８からみて他方の柄部９０９とは反対側）に操作部９４が備えられている。この操作部９４を操作すると、他方の柄部９０９が一方の柄部９０８に対して回動して、他方の柄部９０９を一方の柄部９０８に対して閉じる。これにより忌避線架線具９は、架空線に固定される。
【０１１０】
この忌避線架線具９は、架空線に固定されると、操作部９４が本体部９６の一方の側方側から延設されることとなる。この場合、設置具１を構成する覆部２は、本体部９６の上方側と、一方の側方側だけを覆う形状としてもよい。
【０１１１】
（８）上記実施形態では、非把持部９５は、三方覆部９０の下方側覆部９０２と、三方覆部９０が一方の側面側を覆う一方側覆部９０３との境界部分に設けられているが、忌避線架線具９が、覆部２に覆われる表面のうち、支持部９２と操作部９４との間の位置で、本体部９０から延設されていればよい。
【０１１２】
（９）本発明のそれぞれの構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【０１１３】
１… 設置具  ２… 覆部  ３… 保持覆部  ５… 工事具  ６… 架空線  ７… テグス
８… 本体部群  ９… 忌避線架線具  ２３… 第１覆部分  ２４… 上方覆部分
２５… 中央覆部分  ２６… 下方覆部分  ２７… 第２覆部分  ３０… 架空線挿通孔
３１… 切欠  ３２… 切断部  ３３… 切断部  ３４… 引掛部  ９０… 三方覆部
９１… 蓋部  ９２… 支持部  ９３… 挟持部  ９４… 操作部  ９５… 非把持部
９６… 本体部  ９７… 固定用孔部  ９８… 忌避線固定具  ９９… 取付空間
２３０… 蓋止切欠部  ２３１… 突起  ２３２… 連結突起  ２４０… 挿通孔
２４１… 切目部  ２４２… 切目部  ２４３… 切断部  ２４４… 連結突起
２４５… 切目部  ２４６… 切目部  ２５０… 挿通孔  ２５１… 切目部
２５２… 切目部  ２５３… 持運孔  ２６０… 挿通孔  ２６２… 切目部
２６３… 切目部  ２６４… 連結突起  ２７０… 蓋開用切欠部  ２７１… 引掛凹部
２７２… 連結突起  ２７３… 引剥孔  ３０１… 端点  ９０１… 上方側覆部
９０２… 下方側覆部  ９０３… 一方側覆部  ９０５… 突起  ９０７… 支点
９０８… 柄部  ９０９… 柄部  ９０６… 固定用孔  ９３０… 移動挟持部
９３１… 固定部
【図１】
2019103207.tif 000003
【図２】
2019103207.tif 000004
【図３】
2019103207.tif 000005
【図４】
2019103207.tif 000006
【図５】
2019103207.tif 000007
【図６】
2019103207.tif 000008
【図７】
2019103207.tif 000009
【図８】
2019103207.tif 000010
【図９】
2019103207.tif 000011
【図１０】
2019103207.tif 000012